(57)【要約】【課題】吸水性に優れるとともに、肌触りを向上させることの可能なパンツを提供する。【解決手段】タオルパンツ１００は、腰ゴム部１１０と、局部当て部１２０と、股布部１３０と、側部１４０とから構成される。これらの生地の部分の全部又は一部をタオル地で形成したことを特徴とする。タオルパンツ１００の生地の部分の全体又は一部をタオル地で形成することによって、吸収性に優れるとともに、肌触りを向上させることが可能である。【選択図】図１
0003192036.tif 000002
【実用新案登録請求の範囲】
【請求項１】
生地の部分の全体をタオル地で形成したことを特徴とする、タオルパンツ。
【請求項２】
腰ゴム部、局部当て部又は股布部のうち、少なくとも一つ以上をタオル地で形成したことを特徴とする、タオルパンツ。
【請求項３】
ブリーフタイプ又はボクサータイプであることを特徴とする、請求項１又は２に記載のタオルパンツ。
【請求項４】
女性用であることを特徴とする、請求項１〜３のいずれかに記載のタオルパンツ。
【考案の詳細な説明】
【技術分野】
【０００１】
本考案は、下着のうち下半身に着るパンツに関する。例えば、ズボン下、アンダーパンツ、下ばき、ブリーフ、トランクス、パンティ、ショーツなどと称されるものを、本明細書ではパンツと総称する。
【背景技術】
【０００２】
従来より下着メーカーがさまざまなパンツを製造している（例えば、特許文献１参照）。従来のパンツの生地としては、平織りの布帛や、ガーゼ生地や、ニット生地などが用いられていた。
【先行技術文献】
【特許文献】
【０００３】
【特許文献１】特開２００８−１９６０７８号公報
【考案の概要】
【考案が解決しようとする課題】
【０００４】
しかし、従来のパンツでは、生地の性質上、汗をかいたときに、十分に汗を吸収しなかった。慣れてしまえば不便さを感じないこともあるが、吸水面では弱さを感じることが多かった。また、特に平織りの布帛のパンツでは、肌触りが悪いという問題もあった。特に、ブリーフタイプやボクサータイプや女性用のパンツの場合、肌に密着する部分が多いこともあり、肌触りの改善が求められていた。
【０００５】
そこで本考案は、このような問題に鑑みてなされたもので、その目的とするところは、吸水性に優れるとともに、肌触りを向上させることの可能な、新規かつ改良されたパンツを提供することにある。
【課題を解決するための手段】
【０００６】
上記課題を解決するために、本考案によれば、生地の部分の全体をタオル地で形成したことを特徴とするタオルパンツが提供される。なおここで、生地の部分（の全体）とは、パンツがずり落ちないようにするためのゴムやひもや、タグ・刺繍などを付ける場合に、それら以外の部分（の全体）である。かかる構成によれば、生地の部分の全体をタオル地で形成することによって、吸収性に優れるとともに、肌触りを向上させることが可能である。
【０００７】
また、本考案によれば、生地の部分の一部をタオル地で形成したことを特徴とするタオルパンツが提供される。例えば、パンツを構成するパーツである、腰ゴム部、局部当て部又は股布部のうち、少なくとも一つ以上をタオル地で形成することができる。かかる構成によれば、特に、吸水性や肌触りの要求される腰ゴム部や局所当て部や股布部について、上記と同様に、吸収性に優れるとともに、肌触りを向上させることが可能である。なおここで、腰ゴム部とは、パンツがずり落ちないようにするための役割を担う部分を言い、パンツのゴムやひもを収容する部分でもよく、あるいは、パンツがずり落ちないようにするためのひも自体をタオル地で形成してもよい。この点では、腰ゴム部のことを腰ひも部などと称してもよい。
【０００８】
本考案のタオルパンツは、肌の密着面積が大きいパンツ、例えば、ブリーフタイプ又はボクサータイプのパンツとすることができる。ブリーフタイプやボクサータイプのパンツは、他のタイプのパンツ（例えば、トランクスタイプのパンツ）と比べて、肌の密着面積が多いため、生地の全体又は一部にタオル地を採用することが特に効果的である。なお一般に、ブリーフタイプ、ボクサータイプ、トランクスタイプなどは、明確な区別がされないことも多いが、例えば、ブリーフタイプとは、脚の付け根より上の部分のみに生地があり、身体への密着性の高いパンツであり、ボクサータイプとは、脚の付け根より下の部分にも生地があり、足の付け根より上の部分は、身体への密着性の高いパンツであり、トランクスタイプとは、脚の付け根より下の部分にも生地があり、全体的に身体への密着性が低いパンツと定義することができる。
【０００９】
また、本考案のタオルパンツは、女性用とすることができる。女性用のパンツは、肌の密着面積が多いとともに、吸水性や肌触りに対する要求は女性に比較的多い。このことから、パンツの生地の全体又は一部にタオル地を採用することが特に効果的である。
【考案の効果】
【００１０】
本考案によれば、生地部分の全体又は一部をタオル地で形成することによって、吸収性に優れるとともに、肌触りを向上させたパンツを提供することが可能である。なお、本考案のその他の効果や応用例については、さらに後述する。
【図面の簡単な説明】
【００１１】
【図１】本考案の一実施形態に係るタオルパンツを示す図である。
【考案を実施するための形態】
【００１２】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１３】
（第１の実施形態）
本考案の第１の実施形態について説明する。図１は、本実施形態に係るタオルパンツを示す図である。本実施形態では、男性用のボクサータイプのタオルパンツを例に挙げて説明する。
【００１４】
タオルパンツ１００は、図１に示したように、腰ゴム部１１０と、局部当て部１２０と、股布部１３０と、両側部１４０とから構成される。本実施形態のタオルパンツ１００は、生地の部分の全体がタオル地で形成されることを特徴とする。以下、順に説明する。
【００１５】
腰ゴム部１１０は、タオル地で構成される。そして、そのタオル地の内部に、タオルパンツ１００を着用したときにタオルパンツ１００がずり落ちないようにするための伸縮性のゴムを含んで構成される。腰ゴム部１１０は、特に身体に密着する部分であるので、タオル地で構成することが特に効果的である。なお、タオル地の内部に、伸縮性のあるひも又は伸縮性のないひもを収納してもよい。あるいは、腰ゴム部自体をタオル地のひもで形成してもよい。
【００１６】
局部当て部１２０と股布部１３０は、ともにその全体がタオル地で構成される。局所当て部１２０と股布部１３０は、特に肌触りが要請される部分であり、また、蒸れやすいことなどからも、タオル地で構成することが効果的である。なお、図１の例では、局部当て部１２０と股布部１３０とを区別して示しているが、必ずしもこれらを区別する必要はなく、局部当て部と股布部が一体になっていてもよい。また、女性用のパンツの場合では、局部当て部１２０に相当する部分が無いものが一般的である。
【００１７】
両側部１４０も全体がタオル地で構成される。なお図１では、両側部１４０を、局所当て部１２０及び股布部１３０と区別して示しているが、必ずしもこれらを区別する必要はない。例えば、局部当て部、股布部及び両側部の部分を一体にして、一枚のタオル生地で形成してもよい。
【００１８】
なお、図１には示されていないが、タオルパンツ１００には、任意の場所に、任意の素材で、タグ・刺繍などを施すことが可能である。その場合のタグ・刺繍などの部分は、タオル地で構成しても構成しなくてもよい。
【００１９】
以上説明した「タオル地」には一般的なものを用いることができる。タオル地について概説すると、タオル地とは、主に綿で作られる織物である。緯糸を織り込む際に、たて糸の一部（パイル糸）を緩めて布地にループ状の部分を形成し、保温性、保湿性、吸水性を高めたものである。パイルが片面のものと両面のものがある。タオル地には、容易に抗菌加工を施すことができる。本実施形態のタオルパンツ１００についても、必要な個所に抗菌加工を施すことにより、衛生性を高めることができる。タオル地については、当業者であれば容易に理解できるものであるため、これ以上の詳細な説明を省略する。
【００２０】
（第１の実施形態の効果）
以上説明したように、本実施形態によれば、パンツの生地の部分の全体をタオル地で形成することにより、吸水性に優れるとともに、肌触りを向上させることが可能である。
【００２１】
（第２の実施形態）
本考案の第２の実施形態について説明する。
本実施形態の基本的な構成は、上記第１の実施形態（図１）と同様であるので、同じ部分についての重複説明は省略し、異なる部分についてのみ説明する。
【００２２】
上記第１の実施形態では、タオルパンツ１００の生地の部分の全体がタオル地で形成されていた。すなわち、図１において、腰ゴム部１１０、局部当て部１２０、股布部１３０及び両側部１４０の生地の部分の全体がタオル地で形成されていた。本実施形態のタオルパンツは、これら全体をタオル地とするのではなく、腰ゴム部１１０、局部当て部１２０又は股布部１３０のうち、少なくとも一つ以上の部分をタオル地で形成する。
【００２３】
図１では男性用のボクサータイプのタオルパンツを示したが、女性用のパンツの場合は、局部当て部１２０に相当する部分が無いのが一般的である。この場合は、腰ゴム部１１０又は股布部１３０のうち、少なくとも一つ以上の部分をタオル地で形成することができる。
【００２４】
（第２の実施形態の効果）
以上説明したように、本実施形態によれば、特に、吸水性や肌触りの要求される腰ゴム部１１０や局所当て部１２０や股布部１３０について、上記第１の実施形態と同様に、吸収性に優れるとともに、肌触りを向上させることが可能である。
【００２５】
また、パンツをタオル地で形成すると、吸水性や肌触りは優れるものの、厚みや重さが気になることも考えられる。そこで、本実施形態のように、タオル地を部分的に使用することで、さまざまなバリエーションのパンツとすることができ、使用者のニーズに応じることができる。
【００２６】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【００２７】
例えば、上記実施形態（図１）では、男性用のボクサータイプのタオルパンツを例に挙げて説明したが、本考案はこれに限定されない。男性用の他のタイプのパンツや、女性用のパンツであっても同様に本考案を適用可能である。特に、男性用のブリーフタイプのパンツや、女性用のパンツは、身体への密着部分が多いため、タオル地で構成することが好適である。
【産業上の利用可能性】
【００２８】
本考案は、下着のうち下半身に着るパンツ、例えば、ズボン下、アンダーパンツ、下ばき、ブリーフ、トランクス、パンティ、ショーツなどと称されるあらゆるパンツに利用可能である。
【符号の説明】
【００２９】
１００  タオルパンツ
１１０  腰ゴム部
１２０  局部当て部
１３０  股布部
１４０  両側部
【図１】
0003192036.tif 000003